(57)【要約】【課題】カバーの固定構造を簡略化したテレビを提供する。【解決手段】テレビは、表示パネルと、前記表示パネルよりもはみ出したマージン部を四周に有して前記表示パネルの前面を覆った平板状のカバーと、前記マージン部から前記カバーと交差する方向に延びるとともに、その外周部から窪んだ溝部が設けられたピンと、前記ピンの径よりも大きい口径を有した第１の部分と、前記第１の部分と連続して設けられるとともに前記ピンの径よりも小さい口径を有した第２の部分と、を有した開口部および前記開口部の周囲を規定した金具本体が設けられるとともに、前記カバーとの間に前記液晶パネルを挟んだ第１の金具と、を具備する。前記第１の金具は、前記第１の部分の内側に前記ピンが通された第１の位置と、前記第２の部分の内側に前記ピンが通されるとともに前記溝部の内側に前記金具本体が嵌った第２の位置と、の間で移動可能である。【選択図】図９
2012039315.tif 000002
【特許請求の範囲】
【請求項１】
表示パネルと、
前記表示パネルよりもはみ出したマージン部を四周に有して前記表示パネルの前面を覆った平板状のカバーと、
前記マージン部から前記カバーと交差する方向に延びるとともに、その外周部から窪んだ溝部が設けられたピンと、
前記ピンの径よりも大きい口径を有した第１の部分と、前記第１の部分と連続して設けられるとともに前記ピンの径よりも小さい口径を有した第２の部分と、を有した開口部および前記開口部の周囲を規定した金具本体が設けられるとともに、前記カバーとの間に前記表示パネルを挟んだ第１の金具と、
を具備し、
前記第１の金具は、前記第１の部分の内側に前記ピンが通された第１の位置と、前記第２の部分の内側に前記ピンが通されるとともに前記溝部の内側に前記金具本体が嵌った第２の位置と、の間で移動可能であるテレビ。
【請求項２】
前記カバーと前記第１の金具との間に介在された介在部材を具備し、
前記第１の金具は、前記金具本体から前記介在部材に向けて突出した凸部を有し、
前記介在部材は、凹部を有し、前記第１の金具が前記第２の位置にあるときに前記凹部に前記凸部が嵌り込む請求項１に記載のテレビ。
【請求項３】
前記カバーに接着された接着部と、前記接着部に設けられた前記ピンと、前記接着部から前記カバーと交差する方向に突出した突出部と、前記突出部から前記カバーと略平行な方向に延びた鍔部と、を有するとともに、前記鍔部にスリットが設けられた第２の金具を具備し、
前記第１の金具は、前記金具本体と連続して設けられるとともに前記スリット内に通された案内部を有し、前記スリットは、前記案内部を介して前記第１の金具の移動を案内する請求項２に記載のテレビ。
【請求項４】
前記スリットは、前記表示パネルの側面に対して斜めに延びており、
前記金具本体は、前記表示パネルの前面と略平行であり、
前記案内部は、前記表示パネルの側面と略平行であり、
前記案内部は、前記第１の位置において前記表示パネルの側面から分離されるとともに、前記第２の位置において前記表示パネルの側面に当接された請求項３に記載のテレビ。
【請求項５】
前記案内部は、かぎ状部を有し、このかぎ状部は、前記第１の金具が前記第２の位置にあるときに前記鍔部に引っ掛かった請求項４に記載のテレビ。
【請求項６】
前記第１の金具は、前記かぎ状部の内側に設けられるとともに前記鍔部が嵌る受け部を有し、この受け部は、その奥部から遠ざかるにつれて拡開した請求項５に記載のテレビ。
【請求項７】
前記第１の金具は、前記金具本体と連続して設けられた指掛部を有した請求項６に記載のテレビ。
【請求項８】
本体部と、
マージン部を四周に有して前記本体部の前面を覆った平板状のカバーと、
前記マージン部から突出するとともに、その外周部から窪んだ溝部が設けられたピンと、
前記ピンの径よりも大きい口径を有した第１の部分と、前記第１の部分と連続して設けられるとともに前記ピンの径よりも小さい口径を有した第２の部分と、を有した開口部および前記開口部の周囲を規定した金具本体が設けられるとともに、前記カバーとの間に前記本体部を挟んだ第１の金具と、
を具備し、
前記第１の金具は、前記第１の部分の内側に前記ピンが通された第１の位置と、前記第２の部分の内側に前記ピンが通されるとともに前記溝部の内側に前記金具本体が嵌った第２の位置と、の間で移動可能である電子機器。
【発明の詳細な説明】
【技術分野】
【０００１】
本発明の実施形態は、表示パネルを有した薄型のテレビに関する。
【背景技術】
【０００２】
テレビや携帯電話機等の電子機器において、表示部周りに透明なカバーを採用することが多い。このようなカバーの筐体への固定には両面テープが用いられることが広く行われている。
【先行技術文献】
【特許文献】
【０００３】
【特許文献１】特開２００９−１０３９７９号公報
【発明の概要】
【発明が解決しようとする課題】
【０００４】
しかしながら、上記のようにカバーの固定に両面テープを採用すると、不具合の発生時に分解する際に、カバーに変形や汚れを生じたりして、カバーの交換が必要になる場合がある。
【０００５】
本発明は、カバーの固定構造を簡略化したテレビを提供することを目的とする。
【課題を解決するための手段】
【０００６】
実施形態のテレビは、表示パネルと、前記表示パネルよりもはみ出したマージン部を四周に有して前記表示パネルの前面を覆った平板状のカバーと、前記マージン部から前記カバーと交差する方向に延びるとともに、その外周部から窪んだ溝部が設けられたピンと、前記ピンの径よりも大きい口径を有した第１の部分と、前記第１の部分と連続して設けられるとともに前記ピンの径よりも小さい口径を有した第２の部分と、を有した開口部および前記開口部の周囲を規定した金具本体が設けられるとともに、前記カバーとの間に前記液晶パネルを挟んだ第１の金具と、を具備し、前記第１の金具は、前記第１の部分の内側に前記ピンが通された第１の位置と、前記第２の部分の内側に前記ピンが通されるとともに前記溝部の内側に前記金具本体が嵌った第２の位置と、の間で移動可能である。
【図面の簡単な説明】
【０００７】
【図１】実施形態にかかる電子機器の一例であるテレビを示した斜視図。
【図２】図１に示すテレビを分解して示した斜視図。
【図３】図２に示すテレビの第１の金具を示した斜視図。
【図４】図３に示す第１の金具の上面図。
【図５】図３に示す第１の金具の側面図。
【図６】図１に示すテレビの第２の金具のピンを示した斜視図。
【図７】図６に示す第２の金具の鍔部に設けられたスリットを示した上面図。
【図８】図２に示すテレビの組立工程を模式的に示した側面図。
【図９】図３に示す第１の金具が第１の位置にある状態を示した斜視図。
【図１０】図３に示す第１の金具が第２の位置にある状態を示した斜視図。
【図１１】図５に示す第１の金具が第１の位置にある状態を示した側面図。
【図１２】図５に示す第１の金具が第２の位置にあり、第１の金具の凸部が枠部材の凹部に嵌った状態を示した側面図。
【図１３】図７に示す第２の金具のスリットの変形例を示した上面図。
【発明を実施するための形態】
【０００８】
以下、図１から図１２を参照して、電子機器の一例であるテレビの実施形態について説明する。図１に示すように、本実施形態にかかるテレビ１１は、長方形の外観を有した薄型の表示装置である。図１と図２に示すように、テレビ１１は、表示パネル１２と、表示パネル１２を支持するスタンド１３と、表示パネル１２の前面を覆った平板状のカバー１４と、カバー１４を表示パネル１２に固定するための第１から第６の金具２１〜２６と、カバー１４と第１の金具２１との間に介在された介在部材の一例である枠部材３１と、表示パネル１２の背面を覆ったバックカバー３２と、表示パネル１２に接続されるとともにテレビ１１全体を統括制御する制御部３３と、カバー１４、枠部材３１、バックカバー３２を固定するねじ３４と、を備えている。
【０００９】
表示パネル１２は、本実施形態では、方形板状の液晶パネルで構成されている。表示パネル１２は、例えばプラズマディスプレイパネル、有機ＥＬパネル等の他の種類のディスプレイパネルで構成されていてもよい。図８に示すように、表示パネル１２は、前面１２Ａと、背面１２Ｂと、前面１２Ａおよび背面１２Ｂと直交した一対の側面１２Ｃと、前面１２Ａおよび背面１２Ｂと直交した上面１２Ｄおよび下面１２Ｅと、を有している。また、本実施形態のテレビ１１には、その中央部に背骨となるフレーム等が設けられておらず、表示パネル１２自体が起立姿勢を維持するための強度部材として機能する。すなわち、表示パネル１２およびスタンド１３は、テレビ１１の主要部をなした本体部の一例である。
【００１０】
図１と図２に示すように、カバー１４は、透光性を有し平板状をなしている。カバー１４は、本実施形態では、例えばガラス製のパネルで構成されているが、例えば、アクリル樹脂製のパネルで構成されていてもよい。カバー１４は、表示パネル１２に重なった重複部３５と、重複部３５の四周に設けられたマージン部３６を有している。マージン部３６は、表示パネル１２（本体部）よりも外側にはみ出した位置に設けられている。
【００１１】
スタンド１３は、脚部３７と、脚部３７と表示パネル１２とを接続する方形の補強板３８と、を備えている。また、本実施形態では、スタンド１３は、補強板３８を介して表示パネル１２を支持するようにしているが、補強板３８を介さずに、直接表示パネル１２を支持するようにしてもよい。
【００１２】
図１に示すように、制御部３３は、チューナ基板４１、システム基板４２、電源回路４３など、互いに独立した複数のプリント回路板を有している。制御部３３のチューナ基板４１、システム基板４２、電源回路４３は、表示パネル１２の裏面の所定の位置に設置されている。
【００１３】
図２に示すように、枠部材３１は、方形枠状をなした額縁部４４と、テレビ１１の底部でテレビ１１の外殻をなしているボトムピース４５と、を有している。額縁部４４とボトムピース４５とは、それぞれ合成樹脂によって形成されている。ボトムピース４５は、中央部に配置された１つの第１のピース４５Ａと、テレビ１１の幅方向両端部に設けられた２つの第２のピース４５Ｂと、を有している。第１のピース４５Ａと第２のピース４５Ｂは、それぞれに設けられた接続部４６を介して組み立てて、一体になったボトムピース４５を構成している。第２のピース４５Ｂ同士は、いわゆる左右対称形をなしている。図１２に示すように、この第２のピース４５Ｂには、後述する第１の金具２１の凸部７７が嵌り込むための凹部４７と、凹部４７と隣接して設けられた山部４８と、が設けられている。山部４８は、凹部４７内に嵌った第１の金具２１の凸部７７が凹部４７から抜け出すことを阻止する。
【００１４】
なお、本実施形態では、枠部材３１（介在部材）を額縁部４４とボトムピース４５とで構成するようにしているが、枠形状を単一の部材によって形成してもよい。
【００１５】
図２に示すように、第２の金具２２は、一対に設けられており、各第２の金具２２は、カバー１４のマージン部３６で、カバー１４の下側の角部の近傍にそれぞれ設けられている。図２、図７、図９に示すように、第２の金具２２は、略「Ｌ」字形の板状をなした第２の接着部５２（接着部）と、第２の接着部５２から突出したピン５３と、第２の接着部５２に設けられるとともに先端にねじ孔を有した位置決めピン５４と、第２の接着部５２からカバー１４と交差する方向に突出した突出部５５と、突出部５５からカバー１４と略平行な方向に延びた鍔部５６と、鍔部５６に設けられたスリット５７と、スリット５７の周囲を規定している第１の縁部５８および第２の縁部５９と、を有している。第２の接着部５２は、例えば両面テープを介してカバー１４に接着されている。位置決めピン５４は、カバー１４と交差する方向に延びている。
【００１６】
ピン５３は、カバー１４と交差する方向に延びている。図６に示すように、ピン５３には、その先端部の近傍に、その外周部から窪んだ環状の溝部５３Ａが設けられている。
【００１７】
図７に示すように、第１の縁部５８は、スリット５７よりも表示パネル１２に近い位置でスリット５７の周囲を規定している。また第２の縁部５９は、スリット５７よりも表示パネル１２から遠い位置でスリット５７の周囲を規定している。本実施形態では、第１の縁部５８は、表示パネル１２の側面１２Ｃと平行になっている。また、第２の縁部５９のうち、一部５９Ａは、表示パネル１２の側面１２Ｃと平行であり、他の部分５９Ｂは、表示パネル１２の側面１２Ｃに対して斜めになっている。このため、スリット５７は、実質的に表示パネル１２の側面１２Ｃに対して斜めになっており、側面１２Ｃに対して斜めに第１の金具２１を案内する。
【００１８】
図２に示すように、第３の金具２３は、一対に設けられており、各第３の金具２３は、カバー１４のマージン部３６で、カバー１４の上側の角部の近傍にそれぞれ設けられている。第３の金具２３は、例えば両面テープでカバー１４に接着された第３の接着部６１と、第３の接着部６１からカバー１４と交差する方向に延びて表示パネル１２の上面１２Ｄに当接する第１の壁部６２と、第３の接着部６１からカバー１４と交差する方向に延びて表示パネル１２の側面１２Ｃに当接する第２の壁部６３と、第２の壁部６３からカバー１４と略平行な方向に延びて表示パネル１２の背面１２Ｂに当接した第１の引掛部６４と、を有している。第３の接着部６１は、略「Ｌ」字形の板状をなしている。
【００１９】
第１の壁部６２および第２の壁部６３は、表示パネル１２の位置決めするための小突起６５をそれぞれ有している。
【００２０】
図２に示すように、第４の金具２４は、カバー１４のマージン部３６で、表示パネル１２の上面に対応する位置に設けられている。第４の金具２４は、カバー１４に接着された第４の接着部６６と、第４の接着部６６からカバー１４と交差する方向に延びて表示パネル１２の上面１２Ｄに当接する第３の壁部６７と、第３の壁部６７からカバー１４と略平行な方向に延びて表示パネル１２の背面１２Ｂに当接した第２の引掛部６８と、を有している。
【００２１】
第５の金具２５は、一対に設けられており、各第５の金具２５は、カバー１４のマージン部３６で、表示パネル１２の側面１２Ｃに対応する位置にそれぞれ設けられている。第５の金具２５は、カバー１４に接着された第５の接着部７１と、第５の接着部７１からカバー１４と交差する方向に延びて表示パネル１２の側面１２Ｃに当接する第４の壁部７２と、を有している。
【００２２】
第６の金具２６は、複数個で構成されている。各第６の金具２６は、カバー１４のマージン部３６で、表示パネル１２の下面１２Ｅに対応する複数個所に分離して配置されている。第６の金具２６は、例えば両面テープでカバー１４に接着された小片状の第６の接着部７３と、第６の接着部７３からカバー１４と交差する方向に延びた位置決めピン５４と、を有している。位置決めピン５４は、先端にねじ３４を締結するためのねじ孔を有している。
【００２３】
図２に示すように、第１の金具２１は、表示パネル１２の下側の角部に対応して、左右一対に設けられている。各第１の金具２１は、カバー１４と分離して配置された小片状をなしている。第１の金具２１同士は、左右対称形をなしている。第１の金具２１とカバー１４との間の位置に、表示パネル１２が挟まれている。
【００２４】
図２から図５、図９に示すように、第１の金具２１は、表示パネル１２の前面１２Ａ（背面１２Ｂ）と略平行になった金具本体７４と、金具本体７４と連続して設けられた指掛部７５と、金具本体７４に設けられた開口部７６と、金具本体７４から介在部材の一例である枠部材３１に向けて突出した凸部７７と、金具本体７４と連続して設けられた案内部７８と、案内部７８の先端に設けられて「Ｌ」字形をなしたかぎ状部８１と、かぎ状部８１の内側に設けられた受け部８２と、を有している。
【００２５】
開口部７６は、ピン５３の径よりも大きい口径を有した第１の部分７６Ａと、第１の部分７６Ａと連続して設けられるとともにピン５３の径よりも小さい口径を有した第２の部分７６Ｂと、を有している。金具本体７４は、開口部７６の第１の部分７６Ａおよび第２の部分７６Ｂの周囲を規定している。
【００２６】
金具本体７４には、図３に示すように例えば、「Ｌ」の文字の刻印８３がなされており、テレビ１１の正面から見て左側に用いる第１の金具２１であることを示している。同様にテレビ１１の正面から見て右側に用いる第１の金具２１の金具本体７４には、「Ｒ」の文字の刻印８３がなされている。金具本体７４には、第２の位置Ｐ２にあるときに、ピン５３の位置を示した曲線の刻印８４も設けられている。
【００２７】
指掛部７５は、金具本体７４と交差する方向に延びており、作業者がこの箇所に指を掛けることができるようになっている。図９に示すように、案内部７８は、表示パネル１２の側面１２Ｃと略平行に延びており、スリット５７の内側に通されている。第２の金具２２のスリット５７は、この案内部７８を介して第１の金具２１の移動を案内することができる。また、案内部７８は、金具本体７４と連結された連結部７８Ａを含んでおり、この連結部７８Ａは、金具本体７４に対して斜めになっている。このため、連結部７８Ａは、表示パネル１２の側面１２Ｃに対して斜めになっている。連結部７８Ａは、案内部７８のうち、表示パネル１２の側面１２Ｃと当接する接触部を構成する。
【００２８】
かぎ状部８１は、表示パネル１２の側面１２Ｃと略平行に延びており、鍔部５６の裏側に突出している。かぎ状部８１は、第１の金具２１が第２の位置Ｐ２にあるときに、鍔部５６に引っ掛かることができる。受け部８２は、その奥部８２Ａから遠ざかるにつれて拡開している。すなわち、かぎ状部８１は、その先端、つまり、受け部８２の端近部に相当する角の部分が除去されている。
【００２９】
また、開口部７６は、ピン５３の径よりも大きい口径を有した第１の部分７６Ａと、第１の部分７６Ａと連続して設けられた第２の部分７６Ｂと、を有している。第２の部分７６Ｂは、ピン５３の径よりも小さい口径を有している。
【００３０】
続いて、図２等を参照して、本実施形態のテレビ１１の組み立て工程について説明する。まず、作業台上に載置したカバー１４に対して、表示パネル１２を装着する。このとき、カバー１４のマージン部３６には予め第２から第６の金具２６が例えば両面テープで接着されている。表示パネル１２の装着は、図８に示すように、表示パネル１２の上側角部を第１の引掛部６４の下側に差し込むようにして行う。
【００３１】
続いて、図２、図８に示すように、枠部材３１の額縁部４４をカバー１４のマージン部３６に装着する。そして、額縁部４４の上側からボトムピース４５を接着する。ボトムピース４５の固定は、ボトムピース４５に設けられた貫通孔８５と位置決めピン５４とを利用する。
【００３２】
さらにボトムピース４５の上側から第１の金具２１を装着する。このとき、開口部７６の第１の部分７６Ａの内側にピン５３が通るようにし、案内部７８およびかぎ状部８１がスリット５７の内側に通されるようにする。この状態において、第１の金具２１は、図９に示すように、第１の位置Ｐ１にある。なお、第１の位置Ｐ１では、案内部７８の連結部７８Ａは、表示パネル１２の側面１２Ｃから分離した位置にある。
【００３３】
続いて、作業者は、第１の金具２１の指掛部７５に指を掛けて、第１の金具２１を表示パネル１２の中心から遠ざかる方向にスライド移動させる。この移動によって、図１０に示すように、第１の金具２１の案内部７８は、スリット５７に沿って移動して、スリット５７の一方の端部から他方の端部に移動する。また、図１１と図１２に示すように、第１の金具２１の凸部７７は、ボトムピース４５の第２のピース４５Ｂに設けられた山部４８を乗り越えて、凹部４７の内側に嵌り込む。これと同時に、開口部７６の第２の部分７６Ｂの内側にピン５３が通されて、第１の金具２１の金具本体７４がピン５３の溝部５３Ａの内側に嵌り込む。こうして、第１の金具２１は、図１０に示すように、第２の位置Ｐ２に移動する。第２の位置Ｐ２において、第１の金具２１の自由な移動が制限され、表示パネル１２とカバー１４とが固定される。また第２の位置Ｐ２にあるときに、案内部７８の連結部７８Ａが表示パネル１２の側面１２Ｃに押し付けられるように当接される。これによって、表示パネル１２と平行な方向へのカバー１４の移動が規制される。
【００３４】
さらに、補強板３８および脚部３７（スタンド１３）を表示パネル１２に固定する。そして、表示パネル１２およびカバー１４に対してバックカバー３２を装着し、位置決めピン５４に対してカバー１４の上からねじ３４を締結して、テレビ１１の組み立て工程が完了する。
【００３５】
第１の実施形態によれば、テレビ１１は、表示パネル１２と、表示パネル１２よりもはみ出したマージン部３６を四周に有して表示パネル１２の前面１２Ａを覆った平板状のカバー１４と、マージン部３６からカバー１４と交差する方向に延びるとともに、その外周部から窪んだ溝部５３Ａが設けられたピン５３と、ピン５３の径よりも大きい口径を有した第１の部分７６Ａと、第１の部分７６Ａと連続して設けられるとともにピン５３の径よりも小さい口径を有した第２の部分７６Ｂと、を有した開口部７６および開口部７６の周囲を規定した金具本体７４が設けられるとともに、カバー１４との間に表示パネル１２を挟んだ第１の金具２１と、を具備し、第１の金具２１は、第１の部分７６Ａの内側にピン５３が通された第１の位置Ｐ１と、第２の部分７６Ｂの内側にピン５３が通されるとともに溝部５３Ａの内側に金具本体７４が嵌った第２の位置Ｐ２と、の間で移動可能である。
【００３６】
この構成によれば、ねじを使用しない簡単な構造で、カバー１４を表示パネル１２に対して固定することができる。これによって、部品点数を削減することができる。
【００３７】
また、テレビ１１は、カバー１４と第１の金具２１との間に介在された介在部材を具備し、第１の金具２１は、金具本体７４から介在部材に向けて突出した凸部７７を有し、介在部材は、凹部４７を有し、第１の金具２１が第２の位置Ｐ２にあるときに凹部４７に凸部７７が嵌り込む。この構成によれば、作業者が意図しないときに、第１の金具２１が第２の位置Ｐ２から移動して、第１の金具２１がピン５３から外れてしまうことを防止することができる。
【００３８】
テレビ１１は、カバー１４に接着された接着部と、接着部に設けられたピン５３と、接着部からカバー１４と交差する方向に突出した突出部５５と、突出部５５からカバー１４と略平行な方向に延びた鍔部５６と、を有するとともに、鍔部５６にスリット５７が設けられた第２の金具２２を具備し、第１の金具２１は、金具本体７４と連続して設けられるとともにスリット５７内に通された案内部７８を有し、スリット５７は、案内部７８を介して第１の金具２１の移動を案内する。
【００３９】
これによれば、スリット５７および案内部７８によって、第１の金具２１の移動方向が規制され、第１の位置Ｐ１と第２の位置Ｐ２の間で第１の金具２１をスムーズに移動させることができる。
【００４０】
また、スリット５７は、表示パネル１２の側面１２Ｃに対して斜めに延びており、金具本体７４は、表示パネル１２の前面１２Ａと略平行であり、案内部７８は、表示パネル１２の側面１２Ｃと略平行であり、案内部７８は、第１の位置Ｐ１において表示パネル１２の側面１２Ｃから分離されるとともに、第２の位置Ｐ２において表示パネル１２の側面１２Ｃに当接されている。このため、第１の金具２１によって、表示パネル１２の厚み方向への移動の規制だけでなく、表示パネル１２と平行な方向へのカバー１４の移動を規制することができる。
【００４１】
案内部７８は、かぎ状部８１を有し、このかぎ状部８１は、第１の金具２１が第２の位置Ｐ２にあるときに鍔部５６に引っ掛かっている。この構成によれば、溝部５３Ａに対する金具本体７４の嵌め合いだけでなく、かぎ状部８１によっても表示パネル１２の厚み方向へカバー１４の移動が規制されるため、カバー１４と表示パネル１２との固定をより一層強固にすることができる。
【００４２】
第１の金具２１は、かぎ状部８１の内側に設けられるとともに鍔部５６が嵌る受け部８２を有し、この受け部８２は、その奥部８２Ａから遠ざかるにつれて拡開している。この構成によれば、かぎ状部８１を鍔部５６に引っ掛ける際に、かぎ状部８１が鍔部５６の縁に突き当たることが防止され、第１の金具２１の第１の位置Ｐ１から第２の位置Ｐ２への移動を円滑にすることができる。
【００４３】
第１の金具２１は、金具本体７４と連続して設けられた指掛部７５を有する。この構成によれば、第１の金具２１を第１の位置Ｐ１と第２の位置Ｐ２との間で移動させる際に、作業者が指掛部７５に指を掛けることができ、第１の金具２１の操作性を向上することができる。
【００４４】
電子機器は、上記実施形態に示したテレビ１１に限定されるものではなく、ポータブルコンピュータや携帯電話機、書籍や画像等を電子的に表示する電子ブックリーダーのようなその他の電子機器に対しても当然に実施可能である。また、上記実施形態では、スリット５７の第２の縁部５９の一部を表示パネル１２の側面１２Ｃに対して斜めにしているが、図１３に示すように、スリット５７そのものを表示パネル１２の側面１２Ｃに対して斜めに形成してもよい。
【００４５】
さらに、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００４６】
１１…テレビ、１２…表示パネル、１２Ａ…前面、１２Ｃ…側面、１４…カバー、２１…第１の金具、２２…第２の金具、３１…枠部材、３６…マージン部、４７…凹部、５３…ピン、５３Ａ…溝部、５５…突出部、５６…鍔部、５７…スリット、７４…金具本体、７５…指掛部、７６…開口部、７６Ａ…第１の部分、７６Ｂ…第２の部分、７７…凸部、７８…案内部、８１…かぎ状部、８２…受け部、８２Ａ…奥部、Ｐ１…第１の位置、Ｐ２…第２の位置
【図１】
2012039315.tif 000003
【図２】
2012039315.tif 000004
【図３】
2012039315.tif 000005
【図４】
2012039315.tif 000006
【図５】
2012039315.tif 000007
【図６】
2012039315.tif 000008
【図７】
2012039315.tif 000009
【図８】
2012039315.tif 000010
【図９】
2012039315.tif 000011
【図１０】
2012039315.tif 000012
【図１１】
2012039315.tif 000013
【図１２】
2012039315.tif 000014
【図１３】
2012039315.tif 000015